(57)【要約】【課題】  締結構造を単純化することができる燃料電池用スタック及びこのようなスタックを有する燃料電池システムを提供する。【解決手段】  本発明によるスタックは、膜−電極アセンブリー及び前記膜−電極アセンブリーの側面に配置されるセパレータを含む少なくとも一つ以上の電気生成部、前記電気生成部が位置する内部空間部を有するハウジング、そして前記ハウジングと結合されて、前記電気生成部を固定するカバーを含む。【選択図】  図３
2005327718.tif 000002
【特許請求の範囲】
【請求項１】
膜−電極アセンブリー及び前記膜−電極アセンブリーの側面に配置されるセパレータを含む少なくとも一つ以上の電気生成部と；
前記電気生成部が位置する内部空間部を有するハウジングと；
前記ハウジングと結合されて、前記電気生成部を固定するカバーと；
を含むことを特徴とする燃料電池用スタック。
【請求項２】
前記ハウジング及び前記カバーのうちの少なくともいずれか一つに、複数のホールが形成されることを特徴とする請求項１に記載の燃料電池用スタック。
【請求項３】
前記ハウジング及び前記カバーのうちの少なくともいずれか一つの内面に、前記電気生成部を弾力的に支持する緩衝材が形成されることを特徴とする請求項１に記載の燃料電池用スタック。
【請求項４】
前記ハウジング及び前記カバーのうちの少なくともいずれか一つの前面に、複数のホールが形成され、前記緩衝材に、前記ホールに対応してホールが形成されることを特徴とする請求項３に記載の燃料電池用スタック。
【請求項５】
前記ハウジングは、一つの底面及び前記底面から延長形成される側面を含み、一側が開放される内部空間部を有することを特徴とする請求項１に記載の燃料電池用スタック。
【請求項６】
前記膜−電極アセンブリー及びセパレータは、前記ハウジングの底面と実質的に平行な状態を有して順次に積層されることを特徴とする請求項５に記載の燃料電池用スタック。
【請求項７】
前記膜−電極アセンブリー及びセパレータは、前記ハウジングの底面と実質的に垂直な状態を有して順次に積層されることを特徴とする請求項５に記載の燃料電池用スタック。
【請求項８】
前記ハウジングの外側面には端突起が突出形成され、前記カバーには前記端突起に弾力的に係止する係止部を有する弾性部材が形成され、
前記ハウジング及び前記カバーは、前記端突起及び前記係止部により結合されることを特徴とする請求項１に記載の燃料電池用スタック。
【請求項９】
前記端突起は、前記ハウジングの外側面に沿って一定の間隔をおいて離隔して形成されるか、または連続的に形成されることを特徴とする請求項８に記載の燃料電池用スタック。
【請求項１０】
前記係止部は、先端に向かって端部がとがっている三角断面構造であることを特徴とする請求項８に記載の燃料電池用スタック。
【請求項１１】
前記ハウジング及び前記カバーは、ボルト及びナットを含む固定手段によって結合されることを特徴とする請求項１に記載の燃料電池用スタック。
【請求項１２】
前記ハウジング及び前記カバーの先端には外側に折曲がった折曲部が形成され、前記折曲部に前記ボルト及びナットを締結することを特徴とする請求項１１に記載の燃料電池用スタック。
【請求項１３】
前記ハウジング及び前記カバーは、溶接によって結合されることを特徴とする請求項１に記載の燃料電池用スタック。
【請求項１４】
前記ハウジング及び前記カバーは、金属またはプラスチックからなることを特徴とする請求項１に記載の燃料電池用スタック。
【請求項１５】
前記ハウジング及び前記カバーを構成する面のうちの少なくとも一つの面は、長く連続する形状の凹部及び凸部が交互に配置されて構成されることを特徴とする請求項１に記載の燃料電池用スタック。
【請求項１６】
前記ハウジング及び前記カバーを構成する面のうちの少なくとも一つの面に、補強剤が形成されることを特徴とする請求項１に記載の燃料電池用スタック。
【請求項１７】
膜−電極アセンブリー及び前記膜−電極アセンブリーの側面に配置されるセパレータを含む少なくとも一つ以上の電気生成部、前記電気生成部が位置する内部空間部を有するハウジング、及び前記ハウジングと結合されて、前記電気生成部を固定するカバーを含むスタックと；
前記スタックに燃料を供給する燃料供給部と；
前記スタックに空気を供給する空気供給部と；
を含むことを特徴とする燃料電池システム。
【請求項１８】
前記スタックと燃料供給部との間に、前記燃料供給部から供給を受けた燃料を改質して水素ガスを生成する改質装置がさらに設置されることを特徴とする請求項１７に記載の燃料電池システム。
【請求項１９】
前記燃料電池システムは、高分子電解質型燃料電池方式からなることを特徴とする請求項１８に記載の燃料電池システム。
【請求項２０】
前記燃料電池システムは、直接酸化型燃料電池方式からなることを特徴とする請求項１７に記載の燃料電池システム。
【発明の詳細な説明】
【技術分野】
【０００１】
本発明は燃料電池に関し、より詳しくは、締結構造を改善した燃料電池用スタック及びこのスタックを有する燃料電池システムに関する。
【背景技術】
【０００２】
一般に、燃料電池（fuel cell）は、メタノール、エタノール、または天然ガスのような炭化水素系の物質内に含まれている水素及び空気中の酸素を燃料として起こる電気化学的な反応によって、化学エネルギーを電気エネルギーに直接変化させる発電システムである。
【０００３】
このような燃料電池は、燃焼過程なしで、燃料ガス及び酸化剤ガスの電気化学的な反応によって生成される電気及びその副産物である熱を同時に使用することができるという特徴がある。
【０００４】
近来開発されている高分子電解質型燃料電池（Polymer Electrolyte Membrane Fuel Cell：ＰＥＭＦＣ）を利用した燃料電池システムは、基本的にスタック（stack）と呼ばれる燃料電池本体（以下、便宜上“スタック”と称する）、燃料タンク、この燃料タンクから前記スタックに燃料を供給するための燃料ポンプを含む。そして、燃料タンクに保存された燃料をスタックに供給する過程で、必要に応じて燃料を改質して水素ガスを生成し、その水素ガスをスタックに供給する改質装置（reformer）を含むことができる。
【０００５】
このような高分子電解質型燃料電池は、燃料ポンプのポンピング力により燃料タンクに保存された燃料を改質装置に供給して、改質装置が燃料を改質して水素ガスを生成する。そして、スタックは、水素ガス及び酸素を電気化学的に反応させて、電気エネルギーを生成する。
【０００６】
このような燃料電池システムにおいて、電気を実質的に生成するスタックは、膜−電極アセンブリー（Membrane Electrode Assembly：ＭＥＡ）及びその両面に密着するセパレータ（Seperator）からなる単位セルが連続的に積層される構造である。この時、スタックの最外側に各々位置するセパレータは、エンドプレートと定義する。
【０００７】
膜−電極アセンブリーは、電解質膜を間においてアノード電極及びカソード電極が付着された構造である。そして、セパレータは、各々の膜−電極アセンブリーを分離して、燃料電池の反応に必要な水素及び酸素を膜−電極アセンブリーのアノード電極及びカソード電極に供給する通路の役割と、各膜−電極アセンブリーのアノード電極及びカソード電極を直列に接続する伝導体の役割とを同時に果たす。このようなセパレータは、通常、当業界では、二極式プレート（Bipolar Plate）と称する。
【０００８】
前記構造のスタックは、燃料漏れを防止して、電池としての構造を備えるために、積層されている複数のセルを一つに締結固定しなければならない。このために、通常、接着剤を利用して各構成要素を一つに接着したり、エンドプレートを利用して前記セルに一定の圧力を加えて締結する方式が使用される。
【０００９】
エンドプレートを利用した加圧式締結構造が図１１に示されている。図１１を参照すれば、従来の技術による燃料電池スタックの締結構造は、燃料電池スタック２００の両側端部を支持する二つのエンドプレート２１０に形成されたホールを貫通する締結棒２２０と、前記締結棒２２０の端部に形成された雄ネジに締結されて、前記エンドプレートに固定するナット２３０とを含む。
【００１０】
したがって、前記ホールを貫通した締結棒２２０の両端部に形成された雄ネジに雌ネジが形成されたナット２３０を各々締結することによって、両エンドプレート２１０を押してスタックを適正な圧力で締結固定することができる。
【発明の開示】
【発明が解決しようとする課題】
【００１１】
しかし、前記従来の構造は、ボルト、ナット、及び締結棒ワッシャなどの部品が多くなるために原価の上昇を招き、組立作業及び分解作業に多くの時間がかかるという問題点がある。また、このような構造では、スタックの体積が増加するために小型の燃料電池への適用が難しいという問題点がある。
【００１２】
本発明は、このような問題点を解決するためのものであって、本発明の目的は、締結構造を単純化することができる燃料電池用スタック及びこのようなスタックを有する燃料電池システムを提供することにある。
【課題を解決するための手段】
【００１３】
このために、本発明によるスタックは、膜−電極アセンブリー（Membrane Electrode Assembly：ＭＥＡ）及び前記膜−電極アセンブリーの側面に配置されるセパレータ（Separator）を含む少なくとも一つ以上の電気生成部と、前記電気生成部が位置する内部空間部を有するハウジングと、そして前記ハウジングと結合されて、前記電気生成部を固定するカバーと、を含む。
【００１４】
前記ハウジング及び前記カバーのうちの少なくともいずれか一つに、複数のホールを形成することができる。
【００１５】
前記ハウジング及び前記カバーのうちの少なくともいずれか一つの内面に、前記電気生成部を弾力的に支持する緩衝材を形成することができる。前記緩衝材に、前記ハウジング及び前記カバーのうちの少なくともいずれか一つの前面に形成されたホールに対応してホールを形成することができる。
【００１６】
前記ハウジングは、一つの底面及び前記底面から延長形成される側面を含み、一側が開放される内部空間部を有することができる。この時、前記膜−電極アセンブリー及びセパレータは、前記ハウジングの底面と実質的に平行な状態または垂直な状態を有して順次に積層されることができる。
【００１７】
前記ハウジングの外側面に端突起が突出形成され、前記カバーに前記端突起に弾力的に係止する係止部を有する弾性部材が形成され、前記ハウジング及び前記カバーは、前記端突起及び前記係止部により結合されることができる。前記端突起は、前記ハウジングの外側面に沿って一定の間隔をおいて離隔して形成されるか、または連続的に形成されることができる。前記係止部は、先端に向かって端部がとがっている三角断面構造であることができる。
【００１８】
一方、前記ハウジング及び前記カバーは、ボルト及びナットを含む固定手段によって結合されることができる。この時、ボルト及びナットは、前記ハウジング及び前記カバーの先端で外側に折曲がった折曲部に形成されることができる。
【００１９】
一方、前記ハウジング及び前記カバーは、溶接によって結合されることができる。
【００２０】
前記ハウジング及び前記カバーは、金属またはプラスチックからなることができる。
【００２１】
前記ハウジング及び前記カバーを構成する面のうちの少なくとも一つの面は、長く連続する形状の凹部及び凸部が交互に配置されて構成されることができる。または、前記ハウジング及び前記カバーを構成する面のうちの少なくとも一つの面に、補強剤が形成されることができる。
【００２２】
また、本発明による燃料電池システムは、前記燃料電池用スタックと、前記スタックに燃料を供給する燃料供給部と、前記スタックに空気を供給する空気供給部と、を含むことができる。
【００２３】
前記燃料電池システムは、高分子電解質型燃料電池（Polymer Electrolyte Membrance Fuel Cell：ＰＥＭＦＣ）方式、または直接酸化型燃料電池（Direct Oxidation Fuel Cell：ＤＯＦＣ）方式からなることができる。
【発明の効果】
【００２４】
本発明によれば、燃料電池用スタックの締結構造を単純化することができる。したがって、スタックの組立に必要な部品数を減少させることができ、これにより原価を節減することができる。また、スタックの組立工程を減少させ、生産量を増加させることができる。
【００２５】
さらに、スタックの組立及び分解が容易で、修理時にスタックの分離にかかる時間及び労力を減少させることができる。また、スタックの体積を最少化することができる。
【発明を実施するための最良の形態】
【００２６】
以下、本発明の実施例を、添付した図面を参照して詳細に説明する。
【００２７】
まず、図１を参照して、本発明の実施例による燃料電池システムを説明する。図１は本発明の実施例による燃料電池システムの全体的な構成を示した概略図である。
【００２８】
図１を参照すれば、燃料電池システム１００は、液体の燃料を改質して水素ガスを生成する改質装置２０と、改質装置２０によって生成された水素ガス及び外部空気の化学反応エネルギーを電気エネルギーに変換して電気を生成するスタック１０と、前記液体の燃料を改質装置２０に供給する燃料供給部３０と、電気を生成するための空気をスタック１０に供給する空気供給部４０と、スタックを冷却するための冷却装置７０と、を含んで構成される。
【００２９】
もちろん、直接酸化型燃料電池（Direct Oxidation Fuel Cell：ＤＯＦＣ）方式の場合、改質装置が排除された構造である。以下、高分子電解質型燃料電池方式を採用した燃料電池システムを例に挙げて説明するが、本発明は必ずしもこれに限定されるわけではない。
【００３０】
改質装置２０は、改質反応によって液体の燃料をスタック１０が電気を生成するのに必要な水素ガスに変換するだけでなく、水素ガスに含まれている一酸化炭素の濃度を低減させる装置である。
【００３１】
通常、改質装置２０は、液体の燃料を改質して水素ガスを生成する改質部と、その水素ガスに含まれる一酸化炭素の濃度を低減させる一酸化炭素低減部と、を含む。改質部は、水蒸気改質、部分酸化、または自熱反応などの触媒反応によって、前記燃料を水素が豊富な改質ガスに変換する。そして、一酸化炭素低減部は、水性ガス転換方法、選択的酸化方法などのような触媒反応、または分離膜を利用した水素精製などによって、改質ガスに含まれる一酸化炭素の濃度を低減させる。このような改質装置２０は、スタック１０と第２供給ライン９２とによって連結される。
【００３２】
燃料供給部３０は、液体の燃料を保存する燃料タンク３１と、燃料タンク３１に連結設置される燃料ポンプ３３と、を含む。燃料ポンプ３３は、所定のポンピング力によって燃料タンク３１に保存された液体の燃料をタンクの内部から排出する機能を果たす。この時、燃料供給部３０及び改質装置２０は、第１供給ライン９１によって連結設置される。
【００３３】
そして、空気供給部４０は、所定のポンピング力によって外部空気を吸入してスタック１０に供給することができる空気ポンプ４１を含む。この時、スタック１０及び空気供給部４０は、第３供給ライン９３によって連結設置される。
【００３４】
一方、図２は本発明の第１実施例による燃料電池用スタックを示した斜視図であり、図３は本発明の第１実施例による燃料電池用スタックを示した分解斜視図である。図４は図２のＩＶ−ＩＶ線による断面図である。
【００３５】
図２乃至図４を参照すれば、本システム１００に適用されるスタック１０は、改質装置２０によって改質された水素ガス及び外部空気中に含まれている酸素の酸化/還元反応を誘導して、電気エネルギーを生成する少なくとも一つの電気生成部１１を含む。各々の電気生成部１１は、電気を生成する単位のセルを意味する。
【００３６】
電気生成部１１は、水素ガス及び空気を酸化/還元させる膜−電極アセンブリー（Membrane Electrode Assembly：ＭＥＡ）１１ａと、水素ガス及び空気を膜−電極アセンブリーに供給するためのセパレータ（Seperator）１１ｂと、を含む。このような電気生成部１１は、膜−電極アセンブリー１１ａを中心にしてこの両側にセパレータ１１ｂが各々配置される。
【００３７】
電気生成部１１の最外側に位置するセパレータ１１ｂには、水素及び酸素ガスの各々をセパレータ１１ｂの水素及び空気通路の各々に供給するための注入部１１２と、膜−電極アセンブリー１１ａで反応して残った水素及び空気を排出するための排出部１１４と、が連結設置される。
【００３８】
そして、本燃料電池用スタック１０は、膜−電極アセンブリー１１ａ及びセパレータ１１ｂを含む電気生成部１１を一定の圧力で締結固定するために、互いに結合されて形成されるハウジング１３及びカバー１４を含む。このようなハウジング１３及びカバー１４の各々には、前記注入部１１２及び排出部１１４が外部に連結されるようにホール１３２、１４２が形成される。
【００３９】
ハウジング１３は、一つの底面１３ａ及びこのような底面１３ａから延長形成される側面１３ｂを含み、一側が開放される内部空間部を有して形成される。ハウジング１３を構成する底面１３ａ及び側面１３ｂには、このような面を貫通する複数のホール１５ａが形成されて、スタック１０を冷却する冷却媒体が流通する。
【００４０】
そして、ハウジング１３の内面には、外部の衝撃や振動を緩衝して電気生成部１１を弾力的に支持する緩衝材１６ａが付着設置される。この時、ハウジング１３に形成されるホール１５ａに対応して緩衝材１６ａにホール１６ａ′が形成されて、ハウジング１３及び緩衝材１６ａを貫通して冷却用の冷却媒体が流通するようにする。
【００４１】
本実施例で、カバー１４は、前記ハウジング１３と実質的に同一な構造からなる。したがって、カバー１４は、内部空間部を有して一側が開放されて、複数のホール１５ｂが形成される。そして、カバー１４の内面にも緩衝材１６ｂが形成され、このような緩衝材１６ｂにはカバー１４に形成されたホール１５ｂに対応するホール１６ｂ′が形成される。
【００４２】
このようなハウジング１３及びカバー１４は、金属またはプラスチックなどの材質からなることができる。しかし、ハウジング１３及びカバー１４は、このような材質に限定されず、多様な材料からなることができる。
【００４３】
電気生成部１１は、開放された一側を通じてハウジング１３及びカバー１４の内部空間部に順次に積層される。本実施例では、一例として、ハウジング１３の底面１３ａに電気生成部１１の膜−電極アセンブリー１１ａ及びセパレータ１１ｂの面が平行に積層される。
【００４４】
つまり、膜−電極アセンブリー１１ａ及びセパレータ１１ｂは、ハウジング１３の底面１３ａに平行な状態で、つまりハウジング１３の底面１３ａに垂直な方向（図面のｚ軸方向）に積層される。
【００４５】
本実施例では、ハウジング１３及びカバー１４の先端に形成された固定手段を利用してハウジング１３及びカバー１４を結合すると、電気生成部１１が一定の圧力で締結固定される。本実施例で、このような固定手段は、ハウジング１３に形成される端突起１７及びカバー１４に形成される弾性部材１８を含む。
【００４６】
ここで、端突起１７は、ハウジング１３の開放された部分側の先端から外側に向かって突出し、弾性部材１８は、カバー１４の開放された部分側の先端にのびて、前記端突起１７の外側に位置する。このような弾性部材１８の端部には、端突起１７に弾力的に係止する係止部１９が形成される。ここで、端突起１７は、ハウジング１３と一体に形成されることができ、弾性部材１８及び弾性部材１８に形成される係止部１９は、カバー１４と一体に形成されることができる。
【００４７】
カバー１４をハウジング１３上に位置させた状態で、一定の圧力、つまり係止部１９が端突起を超えることができる程度の圧力を加えると、カバー１４がハウジング１３に結合される。つまり、弾性部材１８がハウジング１３に形成された端突起１７を超えながら弾力的に曲がった後で弾性力によって復帰して、係止部１９が端突起１７に係止して互いに結合される。
【００４８】
この時、前記弾性部材１８に形成される係止部１９は、終端にいくほど先端がとがっている三角断面構造であり、前記端突起１７は、終端が円弧形状に丸く湾曲して形成されることができる。このような形状は、ハウジング１３にカバー１４が結合する時に係止部１９が端突起１７を容易に超えることができるようにし、係止部１９が端突起１７に係止した後には容易に離脱しないようにする。
【００４９】
このように、スタック１０の締結構造が簡単になり、スタックの組立に必要な部品数を減少させることができ、これにより原価を節減することができる。そして、スタックの組立工程を減少させ、生産量を増加させることができる。
【００５０】
また、スタックの組立及び分解が容易で、修理時にスタックの分離にかかる時間及び労力を減少させることができる。そして、ハウジング１３及びカバー１４の先端部方向に形成された小さな体積の固定手段によってハウジング１３及びカバー１４が結合されることによって、スタック１０の体積を最少化することができる。
【００５１】
本実施例では、カバー１４にも内部空間部が形成されて、カバー１４内に電気生成部１１が位置することを図示して説明したが、本発明はこれに限定されず、カバーに内部空間部が形成されないことも可能であり、これも本発明の範囲に属する。つまり、カバー１４は電気生成部１１を一定の圧力で固定することができる構造であれば、いかなる構造でも適用可能であり、これも本発明の範囲に属する。
【００５２】
そして、本実施例では、端突起１７がハウジング１３の開放された部分側の先端を囲んで連続的に形成されるが、本発明はこれに限定されない。本実施例の変形例として、図５に示されているように、端突起１７１が互いに所定の間隔をおいて互いに離隔して形成されることも可能であり、これも本発明の範囲に属する。
【００５３】
以下、本発明の第２実施例乃至第６実施例について詳細に説明する。本発明の第２実施例乃至第６実施例は、第１実施例と基本的な構造は類似しているので、同一または類似した構成要素については詳細な説明を省略し、互いに異なる部分について詳細に説明する。同一または類似した構成要素については同一な図面符号を使用する。
【００５４】
図６は本発明の第２実施例による燃料電池用スタックを示した断面図である。
【００５５】
図６を参照すれば、本発明の第２実施例では、ボルト５６及びナット５８を含む固定手段でハウジング５３及びカバー５４を結合して、電気生成部１１を一定の圧力で固定する。ハウジング５３及びカバー５４の開放された部分側の先端には外側に折曲がった折曲部５３４、５４４が形成され、このような折曲部５３４、５４４にボルト５６及びナット５８を締結して、ハウジング５３及びカバー５４の結合をより容易にすることができる。
【００５６】
このような締結構造によって、スタック１０は、より優れた締結力を有することができる。したがって、外部衝撃などによりスタック１０が分離されるなどの問題点を防止することができる。
【００５７】
ハウジング５３に形成された折曲部５３４は、ボルト５６及びナット５７が締結される部分５３１、このような部分５３１からのびてハウジング５３及びカバー５４の間の隙間を防止しながらカバー５４の折曲部５４４の上部までのびる部分５３２を含むことができる。
【００５８】
図７は本発明の第３実施例による燃料電池用スタックを示した断面図である。
【００５９】
図７を参照すれば、本発明の第３実施例では、ハウジング５３及びカバー５４は、ハウジング５３の先端及びカバー５４の先端を溶接して形成された溶接部６０によって結合される。
【００６０】
図面では、ハウジング５３及びカバー５４が第２実施例のように折曲部５３４、５４４を含むことを示したが、本発明はこれに限定されず、多様な方法でハウジング５３及びカバー５４を溶接することができ、これも本発明の範囲に属する。
【００６１】
図８は本発明の第４実施例による燃料電池用スタックを示した断面図である。
【００６２】
図８を参照すれば、本発明の第４実施例では、電気生成部１１が、ハウジング１３の底面１３ａに対して膜−電極アセンブリー１１ａ及びセパレータ１１ｂが実質的に垂直に立てられて、ハウジング１３の両側面の間に積層された構造からなっている。この時、ハウジング１３及びカバー１４には、注入部１１２及び排出部１１４の各々が出入することができる通路１３ｒ、１４ｒが形成されて、電気生成部１１の積層を容易にすることができる。
【００６３】
本実施例では、前記ハウジング１３の内部一側面と対向する反対側内側面とが電気生成部１１を締結固定するようになる。ここで、前記ハウジング１３の入口を覆うカバー１４は、固定手段を媒介としてハウジング１３に装着されることによって、カバー１４の内側面が膜−電極アセンブリー１１ａ及びセパレータ１１ｂを加圧して、ハウジング１３と共に電気生成部１１を締結固定するようになる。
【００６４】
図面では、ハウジング１３及びカバー１４を結合する方法が第１実施例と同一であることを示したが、本発明はこれに限定されない。
【００６５】
図９は本発明の第５実施例による燃料電池用スタックを示した斜視図である。
【００６６】
図９を参照すれば、本発明の第５実施例では、ハウジング６３及びカバー６４を構成する面が、長く連続する形状の凸部６３ａ、６４ａ及び凹部６３ｂ、６４ｂが交互に配置されて構成される。
【００６７】
このような構造によって、ハウジング６３及びカバー６４の剛性を増加させることができ、スタックの構造を強化させることができる。本発明では、ハウジング及びカバーを構成する面のうちの少なくともいずれか一つの面が前記形状を有すれば充分である。
【００６８】
図１０は本発明の第６実施例による燃料電池用スタックを示した斜視図である。
【００６９】
図１０を参照すれば、本発明の第６実施例では、ハウジング１３及びカバー１４を構成する面に、補強剤６８が形成される。
【００７０】
このような補強剤６８は、大きな荷重の印加またはハウジング１３及びカバー１４の大きさの増加によって発生する可能性のあるベンディング現象を防止する役割を果たす。また、このような補強剤６８によって、スタックの構造を強化することができる。
【００７１】
以上、本発明の実施例及び変形例について説明したが、本発明はこれに限定されず、特許請求の範囲、発明の詳細な説明、及び添付した図面の範囲内で多様に変形して実施可能であり、これも本発明の範囲に属することは当然である。
【図面の簡単な説明】
【００７２】
【図１】本発明の実施例による燃料電池システムの全体的な構成を示した概略図である。
【図２】本発明の第１実施例による燃料電池用スタックを示した斜視図である。
【図３】本発明の第１実施例による燃料電池用スタックを示した分解斜視図である。
【図４】図２のＩＶ−ＩＶ線による断面図である。
【図５】第１実施例に対する変形例のハウジングを示した斜視図である。
【図６】本発明の第２実施例による燃料電池用スタックを示した断面図である。
【図７】本発明の第３実施例による燃料電池用スタックを示した断面図である。
【図８】本発明の第４実施例による燃料電池用スタックを示した断面図である。
【図９】本発明の第５実施例による燃料電池用スタックを示した斜視図である。
【図１０】本発明の第６実施例による燃料電池用スタックを示した斜視図である。
【図１１】従来の技術による燃料電池用スタックの締結構造を示した側面図である。
【符号の説明】
【００７３】
１０  スタック
１１  電気生成部
１１ａ  膜−電極アセンブリー
１１ｂ  セパレータ
１３、５３、６３  ハウジング
１３ａ  底面
１３ｂ  側面
１４、５４、６４  カバー
１５ａ、１５ｂ、１６ａ′、１６ｂ′、１３２、１４２  ホール
１６ａ、１６ｂ 緩衝材
１７、１７１  端突起
１８  弾性部材
１９  係止部
２０  改質装置
３０  燃料供給部
３１  燃料タンク
３３  燃料ポンプ
４０  空気供給部
４１  空気ポンプ
５６  ボルト
５８  ナット
６０  溶接部
６３ａ、６４ａ  凸部
６３ｂ、６４ｂ  凹部
６８  補強剤
７０  冷却装置
９１  第１供給ライン
９２  第２供給ライン
１００  燃料電池システム
１１２  注入部
１１４  排出部
５３４、５４４  折曲部
【図１】
2005327718.tif 000003
【図２】
2005327718.tif 000004
【図３】
2005327718.tif 000005
【図４】
2005327718.tif 000006
【図５】
2005327718.tif 000007
【図６】
2005327718.tif 000008
【図７】
2005327718.tif 000009
【図８】
2005327718.tif 000010
【図９】
2005327718.tif 000011
【図１０】
2005327718.tif 000012
【図１１】
2005327718.tif 000013